(57)【要約】【課題】染髪剤等を収容した中空容器の口頸部に螺着して頭髪に塗布する塗布具を、少ない部品で組み立てられるように簡単な構造にして、製造コストを低減すると共に、塗布具に吐出される染髪剤が飛び散らないような構造にする。【解決手段】中空容器の口頸部に螺着可能な螺合筒部を設けて着脱可能に形成した蓋体の頂壁部に突設した櫛歯支持部に、櫛歯の内部に注出路を形成すると共に櫛歯の上部側面に吐出口を形成した複数の櫛歯を横列状に立設した櫛歯付き蓋体を形成して、前記櫛歯付き蓋体の内部に、容器内の空気が吐出するのを遮断するボール弁と、内溶液の流れを調整して注出するボール弁とを有する調整弁体を設けて、容器内の染髪剤等の溶液が飛び散らないように櫛歯に吐出せしめて、均一に塗布可能にした櫛歯付き塗布具を形成する。【選択図】        図５
2004182260.tif 000002
【特許請求の範囲】
【請求項１】
中空容器の口頸部に螺着可能な螺合筒部を設けて着脱可能に形成した蓋体の頂壁部に、内部に注出路を有する複数の櫛歯を立設すると共に、前記櫛歯の上部側面に吐出口を設けて櫛歯付き蓋体を形成して、前記櫛歯付き蓋体の内部に容器内の空気の吐出を遮断するボール弁と、内溶液を注出するボール弁とを有する弁体を設けて、容器内の染髪剤等の溶液を塗布可能な塗布具を形成してなることを特徴とする櫛歯付き塗布具。
【請求項２】
前記櫛歯付き蓋体は、蓋体の頂壁部に突設した櫛歯支持部の上面に複数の櫛歯を横列状に立設して形成されてなることを特徴とする請求項１に記載する櫛歯付き塗布具。
【請求項３】
前記弁体は、前記櫛歯付き蓋体螺合筒部と櫛歯支持部の間に、嵌合、固定して設けられて、注出される溶液の流れを調整可能に形成されてなることを特徴とする請求項１に記載する櫛歯付き塗布具。
【請求項４】
前記弁体は、蓋体の円筒部に嵌合可能に形成された液体受け皿の底壁部に設けた開口部に、円筒状管体の両端部にボール弁を設けた流体管路の中央部を短い管路により連接して、容器内の空気の吐出を遮断すると共に、注出する溶液の流れを調整するように形成してなることを特徴とする請求項１および請求項３に記載する櫛歯付き塗布具。
【請求項５】
染髪等の液体化粧料を収容した胴壁部が押圧変形可能な中空容器の口頸部に、蓋体の頂壁部に内溶液を注出可能にした複数の櫛歯を立設して可能に形成した櫛歯付き蓋体に、容器本体内の空気の吐出を遮断するボール弁と内溶液を注出するボール弁を設けてなる弁体を内蔵した塗布具を着脱可能に螺着して、染髪剤等の液体化粧料を塗布可能に構成してなることを特徴とする塗布具付き頭髪化粧容器。
【発明の詳細な説明】
【０００１】
【発明の属する技術分野】
本願の発明は、頭髪を染めたり整髪をする染髪剤や整髪剤等の化粧液を収容した中空容器に塗布用の櫛歯を設けて内容液を塗布する塗布容器に係わるもので、更に詳しくは、手指や衣服等を汚すことなく綺麗に、且つ、満遍なく頭髪に液状の染髪剤や整髪剤等の化粧料を塗布することができる櫛歯からなる塗布具と、該塗布具を前記染髪剤や整髪剤等の溶液を収容した中空の液体容器本体の口頸部に設けた塗布容器に関するものである。
【０００２】
【従来技術】
染髪剤や整髪剤等を用いて頭髪に化粧を施す場合、従来は、染髪剤等を収容した容器から少量づつ染髪剤等の内容物を掌に取って、指先で延ばすようにして頭髪に揉み込んで塗布するか、あるいは、塗布専用の小さなブラシや櫛に少量の染髪剤を付着させてから塗布しようとする頭髪部分に塗り込んで塗布してから、櫛やブラシで頭髪を丹念に梳いて頭髪を整えていた。
しかし、このようにした頭髪の化粧方法では、頭髪に染髪液を簡単に均一に塗布させることは困難で、また、染髪剤等で手先や頭皮が汚れるばかりか、染髪剤等の内容液が飛び散って衣服を汚すこともある。
【０００３】
上記したような理由から、染髪等を行う際に手先や衣服を汚すようなこともなく、また、化粧むらが出るようなこともなく綺麗に整髪できるようにした、もう少し簡単な方法により確実に塗布できるようにした塗布用具を具えた頭髪化粧容器が望まれている。
そのようなことから、染髪剤や整髪剤等の化粧剤を収容した容器に、内部の化粧剤を直接に頭髪へ塗布するようにした梳き櫛やブラシ等の塗布具を装着して、化粧剤を容器から塗布具に自動的に供給することにより、手指を汚さずに塗布できるようにした化粧容器が色々と開発されている。
【０００４】
そうした中で、化粧剤を収容した容器に色々な櫛歯状の塗布具を装着して、化粧剤を直接に頭髪へ塗布するように形成した化粧容器として、従来から一般に使用されているものには、特開昭６１−２４０９０４号や特開平１１−９３３０号公報等に見られるように、染髪剤等の化粧剤を収容した押圧変形可能な中空容器の口頸部に梳き櫛を装着して、容器の胴壁を押圧して内部の化粧剤を絞り出して塗布する形式のものと、実開平５−５１７８６号や特開平８−１３１２３５号公報等に見られるように、染髪剤等の化粧剤を収容した中空容器に着脱自在に櫛歯を装着して、内部に充填した高圧ガスの圧力により染髪剤を泡状にして押出して塗布するエアゾール形式の塗布容器がある。
【０００５】
上記した形式の塗布容器はいずれも、櫛歯を植生した状態に保持する保持体内に染髪剤を供給する細い流出路を形成して、前記保持体の先端部から手元まで平行に櫛歯を整列して設けると共に、櫛歯の中程に染髪剤の流出孔を設けた梳き櫛状の塗布具を有する容器からなる。
これらの梳き歯状の塗布具には、図８に示したように、染髪剤等の溶液を収容した中空容器３１の口頸部３２にノズル部３３の肩カバー部３３ａを螺着して、該ノズル部の先端に櫛部の支持体３４を嵌合、固定して構成したもので、前記容器３１の胴部を手中に持って胴壁部３１ａを押圧して変形させるか、または、加圧ガスを噴射して、容器内に収容された染髪剤等の化粧料を押出しことにより、ノズル先端３３ａから櫛部の支持体３４の内部に形成された導出路３５へと吐出させて、注出口３５ａを通して櫛歯３６に形成した排出路３６ａを通して吐出口３６ｂから櫛歯３６の間に吐出せしめて、櫛歯３６を頭髪に接して梳くことにより染髪剤を塗布するようにしたものである。
【０００６】
このような梳き櫛歯状の塗布具を用いた塗布容器は、染髪剤等の化粧料を充分な量だけ櫛歯部分に供給しつつ塗布できるので、手先を汚すことなしに、また、頭皮への付着や衣服へ飛び散るようなこともなしに、頭髪に対する毛染等の操作を行うことができて便利である。
しかし、上記のような梳き櫛歯状の塗布具をエアゾール形式の塗布容器に用いる場合には、ガス噴射部を押し過ぎるとガス圧により染髪剤等が飛散して、皮膚や衣服に等に付着することがある。
また、上記のような梳き櫛歯状をした塗布具は、その構造が繊細で複雑であり、そして、多数の部品から構成されるので、その製造コストが高くならざるを得ないことから、もう少し簡単な構造にして、廉価に製造することができるような塗布具が求められる。
【０００７】
そこで、上記したように複雑な構造をした梳き櫛歯からなる塗布具に代えて、もっと簡単な構造にした塗布具を用いた塗布容器に構成することにより、その塗布具をできるだけ少ない数の部品で構成して、塗布容器の製造コストを低減することが考えられている。
そして、そのように簡単な構造にした塗布具を用いた塗布容器としては、実用新案登録第３０５８２８６号や実開昭５０−３０９８０号公報等に記載するようなものが知られており、また、出願人も既に、特開２００１−２７５７３９号や特開２００１−２７５７５２号公報等に見るようなものを提案しているが、これらに見られる塗布容器は、染髪剤等の溶液を収容した中空の容器本体の口頸部に螺合、密着した蓋状体に、複数の櫛歯を横列状に並べて立設して塗布可能に形成したものである。
【０００８】
これらの塗布容器は、図６に示すように、筒状をした蓋体２２の頂板部２２ａに複数の櫛歯２３を横列状に整列して立設せしめると共に、前記櫛歯の上部側面に容器内部の染髪剤と連通する注出口２３ａを設けて染髪剤を塗布可能に形成した塗布具２５を、染髪剤等の溶液を収容した胴壁部２１ａが押圧変形可能な中空容器２１の口頸部に螺合、密着して構成したものである。
上記塗布具２５は、図７に示したように、両側端の枠櫛歯２３ｂを除く各櫛歯に、上部の両側面に注出口２３ａを貫通して開口すると共に、該注出口から頂板部の下面まで櫛歯内を貫通する注出路２３ｃを形成して、且つ、前記各櫛歯２３の注出口２３ａよりも上の歯面に横方向の溝とリブからなる凹凸面２３ｄを形成して、容器本体内の染髪剤を塗布可能にした簡単な構造をしたものである。
【０００９】
このような塗布具２５を具えた塗布容器は、前述した梳き櫛歯状の塗布具のものに比べて、構造が非常に簡単であるから安価に製造することができるが、図７に示すように、前記塗布容器２１を逆さまにした状態で容器の胴壁部２１ａを押圧して内溶液を注出して塗布しようとすると、容器内に空気が存在すると内容液が各歯から均一な圧力で注出されずに、櫛歯２３から吐出される溶液にむらができて、一つの吐出口２３ａから多量に吐出することがあり、中でも、頭部の側面の頭髪に塗布しようとして、塗布具の櫛歯を横向きにして使用する場合には、容器内の空気と同時に溶液が勢い良く吐出されて飛び散ることがしばしばある。
そこで、上記のように櫛歯を横列状に立設せしめた塗布具を用いた塗布容器に於いて、塗布具を横向きにして使用する時にも、容器内の染髪剤等が空気と一緒に勢い良く吐出されて飛び散ることがなくて、均一に塗布できるようにした塗布具を具えた塗布容器の出現が望まれる。
【００１０】
【発明が解決しようとする課題】
本願の発明は、上記したような問題点を解決せんとして創案されたもので、染髪剤等の液体化粧料を収容した中空容器の口頸部に螺着して、内溶液を頭髪に塗布する塗布具を、できるだけ簡単な構造に形成することにより、少ない数の部品で組み立てられるように構成して、塗布具の製造コストを低減できるようにすると同時に、容器内の化粧料を注出して頭部に塗布する際に、容器から櫛歯に注出される化粧料が飛散することなしに塗布できるような構造に形成した塗布具と、該塗布具を具えた染髪剤等の塗布容器を提供することを目的とする。
【００１１】
【課題を解決するための手段】
本願発明は、上記したような課題を解決するために、中空容器の口頸部に螺合、密着が可能に形成された筒状をした蓋体の頂壁部に、複数の櫛歯を横列状に整列して間隔を設けて立設せしめて櫛歯付き蓋体に形成して、前記櫛歯の上部側面に染髪剤の注出口を貫通して設けると共に、前記注出口から頂板部の下面まで櫛歯内を貫通した注出路を設けて、容器内の染髪剤等を注出して塗布可能にした塗布具を形成する。
そして、更に、前記歯付き蓋体の内部に、容器内の空気の吐出を遮断するための弁体と、内溶液を注出するための弁体とを設けて、塗布具を横向きにして使用する際にも、容器内の染髪剤等が空気と一緒に勢い良く吐出されて飛散するようなことがなく、均一に塗布できるようにした塗布具を形成すると共に、該塗布具を塗染髪剤等を収容された中空容器の口頸部に着脱可能に形成する。
【００１２】
【発明の実施の形態】
本願の発明は、熱可塑性合成樹脂を射出成形して、染髪剤等の液体を収容した中空容器１の口頸部１ａに螺着可能な円筒状の螺合筒部２ａを有する蓋体２を形成すると共に、前記蓋体の頂壁部２ｂに櫛歯支持部４を突設して、該櫛歯支持部に複数の櫛歯３を横列状に整列して間隔をあけて立設せしめて形成した櫛歯付き蓋体５を、中空容器１の口頸部１ａに着脱可能なように成形する。
そして、上記した櫛歯付き蓋体５を成形する際に、前記櫛歯３の上部側面に染髪剤の吐出口３ａを貫通して設けると共に、前記注出口から頂壁部２ｂの下面に達する注出路３ｃを前記櫛歯３内に貫通せしめて設けて、前記注出路を通じて櫛歯面に容器内の染髪剤等の液体を注出可能に形成する。
【００１３】
上記のように形成された前記櫛歯付き蓋体２の螺合筒部２ａと櫛歯支持部４の間に、容器内の空気の吐出を遮断するための弁と、内溶液を注出するための弁とを有する弁体９を設けて、容器内の染髪剤等の液体を櫛歯３面の吐出口３ａから注出可能に形成して塗布具６を構成する。
そして、このようにして構成された塗布具６を染髪剤等の液体を収容した中空容器１の口頸部１ａに螺着して、染髪剤等を塗布可能にした塗布容器を形成すると共に、該塗布容器を用いて塗布具６を横向きにして塗布操作を行うと、容器内に存在する空気は、上側に浮いて櫛歯方向へ移動してボール弁７ａを押し下げて閉止されるが、染髪剤等の溶液は、下側からボール弁７ｂを押し上げながら弁体９内を抜けて液溜まり８ｂへ流出して、均一な押圧力を受けながら注出路３ｃを経て吐出口３ａから櫛歯３面に注出されて、空気と一緒に吐出されて飛散することもなく頭髪に塗布される。
【００１４】
【実施例】
本願の発明について、最適な一つの実施例に基づいて、図面を参照しつつ以下に説明する。
熱可塑性合成樹脂を射出成形して、染髪剤等の液体を収容した中空容器１の口頸部１ａに螺着可能な螺合筒部２ａを有する蓋体２を成形するに際して、図１に示すように、前記蓋体２の頂壁部２ｂに、櫛歯３を立設するための櫛歯支持部４を突設せしめて形成して、該櫛歯支持部４の上面に、複数の櫛歯３を横列状に整列して間隔を設けて立設した櫛歯付き蓋体５を一体に成形する。
そして、図２に示したように、前記櫛歯３の上部側面に染髪剤の吐出口３ａを貫通して設けると共に、前記吐出口３ａから蓋体２の頂壁部２ｂの下面に達する注出路３ｃを前記櫛歯３内に貫通せしめて設けて、容器内の染髪剤等の液体を櫛歯３面に注出可能に形成して、前記中空容器１の口頸部１ａに着脱可能な櫛歯付き蓋体５を成形する。
【００１５】
また、図４に示すように、円筒形の短い管路の両端部にそれぞれ金属球からなるボール弁７ａ，７ｂを設けた流体管７の中程と、円盤状に形成した液体受け皿８の底壁部の中央部の開口部８ａとを短い管路７ｃにより連接して、容器内の溶液が注出される流れを調整可能にする弁体９を形成する。
そして、上記のように形成した弁体９を、図２に示すように、前記した櫛歯付き蓋体５の前記螺合筒部２ａと櫛歯支持部４の間に、嵌着、固定して設けて、前記弁体９が中空容器１内の空気が吐出するのを遮断するための弁と、内溶液を注出せしめて吐出させるための弁として作用するように構成して、染髪剤等を収容した中空容器１の口頸部１ａに螺着して、中空容器内の染髪剤等を櫛歯３の吐出口３ａから吐出せしめて塗布可能にする塗布具６を形成する。
【００１６】
上記のように形成された塗布具６を、染髪剤等の化粧溶液を収容した中空の容器本体１の口頸部１ａに螺着することにより、容器内の染髪剤等を手先や衣服を汚すことなしに、頭部の毛髪に対して簡単に塗布できるようにした塗布容器が形成される。
そして、上記のように形成された塗布容器を手に持って塗布しようとして、図５に示すように、前記塗布具６を櫛歯３が上下に重なるようにして横向きに整列させた状態にすると、流体管路７内の金属ボール７ａは下方へ向かって落下すると共に、容器本体１の胴壁部が指先で押圧されると、容器内に存在する空気は軽いので、上側に浮いて溶液よりも先に櫛歯３方向へ移動して流体管路７に達して、空気はボール弁を押し下げて閉止した状態で容器内に留まる。
【００１７】
そして、前記容器本体１内の染髪剤等の溶液は、該容器の側面に沿って櫛歯３方向へ移動して、金属ボール７ｂを下側から押し上げるようにして、弁体９内の管路７ｃを抜けて液体受け皿８上部の液溜まり８ｂへと流出される。
このようにして、塗布具６の液溜まり８ｂに押し出された溶液は、パスカルの原理により均一な圧力を受けながら注出路３ｃを通って、櫛歯３に設けられた吐出口３ａから櫛歯面に吐出されるが、その時に塗布具６の櫛歯３を横向きにして上下に重なるようにして、頭部の側頭部の頭髪に対して塗布しながら櫛歯で梳くと、内溶液に空気が混ざった状態で一緒に吐出することがないので、内溶液は飛散するようなこともなく、前記塗布具６の歯先を介して頭髪に均一に塗布することができる。
【００１８】
上記したように、本願の発明は、中空容器１の口頸部１ａに螺着する蓋体２の頂壁部２ｂに複数の櫛歯３を横列状に間隔を設けて立設した櫛歯付き蓋体５に、図２に示すように、容器から注出される溶液の流れを調整する弁体９を設けて塗布具６を形成して、該塗布具を染髪剤等の化粧溶液を収容した中空容器の口頸部１ａに螺着して、頭髪に塗布可能にした塗布容器を構成したものであるから、前記塗布容器を手に持って頭部の頭髪に塗布しようとして傾けて注出しても、櫛歯面の向きが垂直軸に対して４５°以内の角度内にあれば、容器内の空気は前記弁体９部のボール弁７ａにより遮断されて、染髪剤等の溶液だけが注出して塗布されるので、内溶液が櫛歯の吐出口から飛び散るようなことがない。
【００１９】
上記した実施例に於いて、図４に示すように、円筒形の短い管体の両端部にそれぞれ金属球を装着してボール弁７ａ，７ｂを形成した流体管路７の中程に、短い管路７ｃの一端部を連結して概略Ｔ字状に形成した流体調節管の端部を、円盤状に形成した液体受け皿８の底壁部に開口部８ａせしめて連接して、液体の流れを調節可能に形成した弁体を、櫛歯付き蓋体５に嵌着、固定して塗布具を構成したが、本願発明は、このような構造をした塗布具に限定されるものではない。
【００２０】
例えば、前記した流体管路７を、両端部にボール弁７ａ，７ｂを設けた二つの短い管体を、十字状に交差せしめた構造の流体管路に形成して、そして、前記実施例と同様に、前記流体管路を短い管路７ｃを介して円盤状に形成した前記液体受け皿８の底壁部に連接した構造の溶液を調整する弁体９を、前記櫛歯付き蓋体５に嵌着、固定した塗布具６を形成することも可能である。
そして、このように形成された塗布具６を装着した塗布容器は、前記塗布容器を手に持って頭部の頭髪に塗布しようとして傾けて注出する際に、櫛歯面の向きが垂直軸に対して４５°を越えた角度になっても、９０°の間隔でボール弁が設けられているので、容器内の空気は別のボール弁により遮断されるので、内溶液が空気と一緒に勢い良く吐出することがない。
【００２１】
上記したような構成をした本願発明の塗布具９は、染髪剤等の化粧料を注出する歯付き蓋体５の螺合筒部２ａと櫛歯支持部４の間に、容器本体内の空気の吐出を遮断するボール弁を内蔵した液体を調整する弁体を設けて構成されているので、塗布具を横向きに傾けた状態にして使用しても、内溶液が空気と一緒に勢い良く吐出して飛び散るようなことがない。
【００２２】
【発明の効果】
本願発明は、染髪剤等の化粧料を収容した中空容器本体の口頸部に嵌着した櫛歯付きの蓋体に、容器本体内の空気の吐出を遮断するボール弁を内蔵した液体を調整する弁体を設けて塗布具を形成して、内容液を塗布可能にした塗布容器を構成したので、櫛歯の構造が簡単であるから塗布具を安価に製造することができると同時に、前記塗布具を装着した塗布容器は、塗布具を横向きになるようにして塗布操作を行っても、内溶液が空気と一緒に勢い良く吐出して飛び散るようなことがない。
従って、本願発明の塗布容器は、頭髪に対して塗布しながら櫛歯で梳くことにより、手先を汚すこともなしに、また、内溶液で衣服や肌を汚すこともなしに、塗布具の櫛歯で内容液を頭髪に均一に塗布することができる。
【図面の簡単な説明】
【図１】本願発明の塗布具を装着した塗布容器を示す斜視図である。
【図２】図１に示した塗布容器のＸ−Ｘ縦断面図である。
【図３】図１に示した塗布容器のＹ−Ｙ断面図である。
【図４】図２に示す塗布具に用いる弁体を示す斜視図である。
【図５】図１に示す塗布容器を使用する状態を示す部分断面図である。
【図６】本願発明の先行例の塗布具を示した斜視図である。
【図７】図６に示す塗布容器を使用する状態を示す部分断面図である。
【図８】従来例の塗布具を示す部分断面図である。
【符号の説明】
１．    中空容器
１ａ．  口頸部
２．    蓋体
２ａ．  螺合筒部
２ｂ．  頂壁部
３．    櫛歯
３ａ．  吐出口
３ｃ．  注出路
４．    櫛歯支持部
５．    歯付き蓋体
６．    塗布具
７．    流体管
７ａ．  ボール弁
７ｂ．  ボール弁
７ｃ．  管路
８．    液体受け皿
８ａ．  開口部
９．    弁体
【図１】
2004182260.tif 000003
【図２】
2004182260.tif 000004
【図３】
2004182260.tif 000005
【図４】
2004182260.tif 000006
【図５】
2004182260.tif 000007
【図６】
2004182260.tif 000008
【図７】
2004182260.tif 000009
【図８】
2004182260.tif 000010